(57)【要約】      （修正有）【課題】集塵容器を掃除機本体の容器収納部に配設した状態では、誤ってロック解除用のボタンを押しても底蓋が開くことのない電気掃除機を提供すること。【解決手段】電動送風機４及び上方に開放する容器収納凹部５が設けられた掃除機本体１と、容器収納凹部５に着脱自在に集塵容器１２が設けられている。また、集塵容器１２は、内部に集塵室１３ａを備えその集塵室１３ａの下方が開口する容器本体１３と、上下に回動して集塵室１３ａの下方への開口を開閉可能に容器本体１３に取り付けられた底蓋１４と、底蓋１４を容器本体１３に係止する蓋ロック手段２３と、蓋ロック手段２３の開操作をするロック解除ボタン３１を備えている。しかも、集塵容器１２が容器収納凹部５に配設されている状態のとき及び集塵容器１２が容器収納凹部５から上方に抜き取り可能な状態のとき、ロック解除ボタン３１の開操作を規制する開操作規制手段３２が設けられている。【選択図】  図８
2006212334.tif 000002
【特許請求の範囲】
【請求項１】
電動送風機及び上方に開放する容器収納部が設けられた掃除機本体と、前記容器収納部に着脱自在に集塵容器が設けられ、
前記集塵容器は、内部に集塵室を備えその集塵室の下方が開口する容器と、上下に回動して前記集塵室の下方への開口を開閉可能に前記容器に取り付けられた底蓋と、前記底蓋を前記容器に係止するロック手段と、前記ロック手段の開操作をするロック解除ボタンを備える電気掃除機であって、
前記集塵容器が前記容器収納部に配設されている状態のとき及び前記集塵容器が前記容器収納部から上方に抜き取り可能な状態のとき、前記ロック解除ボタンの開操作を規制する開操作規制手段が設けられていることを特徴とする電気掃除機。
【請求項２】
前記ロック手段は、前記底蓋に設けられた蓋側係止部、及び前記蓋側係止部に係止可能な係止位置と前記蓋側係止部への係止を解除可能な非係止位置との間で移動可能に前記容器に設けられたクランプ体を備え、
前記開操作規制手段は前記係止位置において前記クランプ体の移動を規制する移動規制位置と前記クランプ体を前記非係止位置まで移動可能とする移動規制解除位置との間で移動可能な移動規制部材を備え、
前記容器収納部には前記集塵容器を前記容器収納部に収納したときに前記移動規制部材を前記移動規制位置に移動させる移動手段が設けられていることを特徴とする請求項１に記載の電気掃除機。
【請求項３】
前記移動規制部材は付勢手段により前記移動規制位置から移動規制解除位置に向けて付勢されていると共に、
前記クランプ体には、前記移動規制部材が前記移動規制位置にある状態で前記ロック解除ボタンによるロック解除操作をしたときに、この際のロック解除の操作力で前記移動規制部材に係合して、前記移動規制部材が前記移動規制位置から移動規制解除位置に移動するのを規制する係止突部が設けられていることを特徴とする請求項２に記載の電気掃除機。
【発明の詳細な説明】
【技術分野】
【０００１】
この発明は、底蓋を有する集塵容器が掃除機本体の容器収納部に着脱可能に配設された電気掃除機に関するものである。
【背景技術】
【０００２】
従来の電気掃除機には、上方に開放する容器収納部が前部に設けられた掃除機本体と、掃除機本体の後部に内蔵された電動送風機と、前記容器収納部に着脱自在に配設された集塵容器を備えているものがある。
【０００３】
この集塵容器としては、内部の集塵室が下方に開口する容器本体と、上下に回動して前記集塵室の下方への開口を開閉可能に前記容器本体に取り付けられた底蓋と、前記底蓋を前記容器本体に係止するロック手段と、前記ロック手段の開操作をするロック解除用のボタンを備えているものが知られている（例えば、特許文献１参照）。
【０００４】
このような集塵容器を備える電気掃除機では、集塵容器を掃除機本体の容器収納部から取り出して、ロック解除用のボタンを押すことにより、ロック手段による底蓋のロックが解除されて底蓋が開き、集塵容器内に捕捉された塵埃が下方に落下させられるので、塵埃を容易に捨てることができる。
【特許文献１】特開２００４−４９７９２号
【発明の開示】
【発明が解決しようとする課題】
【０００５】
しかしながら、誤ってロック解除用のボタンを押しながら集塵容器を掃除機本体の容器収納部から取り出すことも考えられる。そして、この場合には、塵埃が容器収納部や床面に落ちてしまい、掃除機本体の容器収納部や床面が汚れてしまうので、容器収納部や床面を清掃する必要があり、好ましくないものであった。
【０００６】
そこで、この発明は、集塵容器を掃除機本体の容器収納部に配設した状態では、誤ってロック解除用のボタンを押しても底蓋が開くことのない電気掃除機を提供することを目的とするものである。
【課題を解決するための手段】
【０００７】
この目的を達成するため、請求項１の発明は、電動送風機及び上方に開放する容器収納部が設けられた掃除機本体と、前記容器収納部に着脱自在に集塵容器が設けられ、前記集塵容器は、内部に集塵室を備えその集塵室の下方が開口する容器と、上下に回動して前記集塵室の下方への開口を開閉可能に前記容器に取り付けられた底蓋と、前記底蓋を前記容器に係止するロック手段と、前記ロック手段の開操作をするロック解除ボタンを備える電気掃除機であって、前記集塵容器が前記容器収納部に配設されている状態のとき及び前記集塵容器が前記容器収納部から上方に抜き取り可能な状態のとき、前記ロック解除ボタンの開操作を規制する開操作規制手段が設けられている電気掃除機としたことを特徴とする。
【発明の効果】
【０００８】
この構成によれば、集塵容器を掃除機本体の容器収納部に配設した状態では、誤ってロック解除用のボタンを押しても底蓋が開くことがないため、容器収納部や床面を汚すことがない。
【発明を実施するための最良の形態】
【０００９】
以下、この発明の実施の形態を図面に基づいて説明する。
[構成]
図１において、１は電気掃除機の掃除機本体、２は掃除機本体１のケース本体である。このケース本体２は、下ケース２ａと、この下ケース２ａの後上部に取り付けられた上ケース２ｂを有する。この下ケース２ａと上ケース２ｂとの間には、図２に示したように送風機室３が形成され、この送風機室３内には電動送風機４が配設されている。
【００１０】
また、図２に示したように下ケース２ａの前部には上方に開放する容器収納凹部（容器収納部）５が形成され、上ケース２ｂには容器収納凹部５の上部を覆う上蓋（容器カバー）６が上下に開閉（回動）可能に取り付けられている。しかも、この上蓋６の前端部にはホース接続口７が形成されている。尚、上蓋６の前端下部には、下ケース２ａの前端上部に係止させる図示しないクランプ手段が設けられている。このクランプ手段には周知の構成を採用できるのでその詳細な説明は省略する。
【００１１】
更に、図１に示したようにホース接続口７には集塵ホース８の一端部に一体に設けた接続筒体８ａが着脱自在に嵌合接続され、この集塵ホース８の他端部には手元操作パイプ（手元操作管）９が一体に設けられている。この手元操作パイプ９には延長パイプ（延長管）１０を介して吸込口体１１が接続されている。この吸込口体１１の下面には、図示しない吸込室の吸込開口（図示せず）が設けられている。
【００１２】
また、手元操作パイプ９には操作パネル９ａが設けられ、操作パネル９ａの操作により電動送風機４のＯＮ・ＯＦＦ操作や電動送風機４の吸込力（吸込負圧）の「強」，「弱」の切換を行うことができるようになっている。
＜集塵容器＞
更に、容器収納凹部５には、図２に示したように集塵容器１２の下部が着脱可能に収納されている。この集塵容器１２は、図２，図３に示したように下方に開口する集塵室（集塵部）１３ａが下部に設けられた容器本体（容器）１３と、集塵室１３ａの下方を開閉する底蓋１４を有する。
【００１３】
この容器本体１３の上部には、図３に示したように複数の連通口（開口）１５ａを有する円錐状の筒部１５と、筒部１５の周囲に位置する負圧室１６が設けられている。
【００１４】
尚、筒部１５は、図２に示したように上蓋６で容器収納凹部５の上部を覆ったときに、一端の吸込口１５ｂが上蓋６のホース接続口７に連通するようになっている。筒部１５は上流端が下流端より広く形成されている。
【００１５】
また、筒部１５の他端は集塵室１３ａに連通させられている。この集塵室１３ａの後部壁１３ｂには負圧室１６に連通する連通口１７が形成されている。
【００１６】
しかも、筒部１５の連通口１５ａには円錐筒状の第１のネットフィルタ（第１の一次フィルタ）Ｆ１が取り付けられ、連通口１７には第２のネットフィルタ（第２の一次フィルタ）Ｆ２が取り付けられている。
【００１７】
さらに、容器本体１３の後部には負圧室１６を後方に開放する開口端部１８が形成され、この開口端部１８にはプリーツフィルタ等の細塵フィルタ１９が取り付けられている。この負圧室１６は、図２に示したように集塵容器１２の下部が容器収納凹部５に配設された（装着された）状態で、細塵フィルタ１９を介して電動送風機４の吸込開口４ａに連通させられようになっている。
【００１８】
また、容器本体１３の一側部１３ｃの外面下部には図４に示したように底蓋１４がヒンジ２０を介して開閉可能に取り付けられている。このヒンジ２０は、図４，図５に示したように容器本体１３の一側部１３ｃの外面下部に突設した支持突部２１と、図４に示したように底蓋１４の一側端に上方に向けて突設した取付突部２２と、取付突部２２を支持突部２１に回動自在に支持している支持軸（図示せず）を有する。これにより、底蓋１４は軸線Ｊ回りに回動（開閉）可能に容器本体１３に取り付けられている。
（蓋ロック手段）
更に、容器本体１３の他側部１３ｄと底蓋１４の他側端との間には、図７に示したように底蓋１４の他側端（自由端）を容器本体１３に係止する蓋ロック手段２３が設けられている。
【００１９】
この蓋ロック手段２３は、底蓋１４の他側端に上方に向けて突設された板状の係止爪片（蓋側係止部である係止爪）２４と、容器本体１３の他側部１３ｄの外面下部に中間部が支持軸２５ａで回動可能に取り付けられた板状のクランプ爪（クランプ体）２５を有する。
【００２０】
この係止爪片２４の内側面の上部には、前側に突出する爪部２４ａが形成されている。また、クランプ爪２５の一端部（図７，図８（ａ）の下端部）には、後方（図７，図８（ａ）の右側方向）に向けて突出して、底蓋１４を閉じている状態で係止爪片２４の爪部２４ａに係合させられる爪部２５ｂが設けられている。
【００２１】
また、クランプ爪２５の他端部（図７，図８（ａ）の上端部）には後方（図７，図８（ａ）の右側方向）に向けて突出する突部２５ｃが形成されている。しかも、容器本体１３の他側部１３ｄの下部には突部２５ｃの下方に位置させてバネ受け部２６が形成され、この突部２５ｃとバネ受け部２６との間にはコイルスプリング（回動付勢手段）２７が介装されている。このコイルスプリング２７は、クランプ爪２５を支持軸２５ａを中心に反時計回り方向に回動付勢して、クランプ爪２５の爪部２５ｂを係止爪片２４の爪部２４ａに係合させて、係止爪片２４を爪部２５ｂに係止させ、底蓋１４を閉位置にロックしている。
【００２２】
このようなクランプ爪２５は、爪部２５ｂが蓋係止部である図７の係止爪片２４の爪部２４ａを図９の如く係止する係止位置と、爪部２５ｂの爪部２４ａへの係止を図１０の如く解除可能な非係止位置との間で回動できるようになっている。
【００２３】
また、クランプ爪２５の一端部近傍の部分には、その回動方向において爪部２５ｂとは反対側（図７〜図１１の左側）に突出する係止突部２５ｄが設けられている。しかも、クランプ爪２５には、係止突部２５ｄからクランプ爪２５の一端（図７〜図１１の下端）に向けて延び、且つ爪部２５ｂに向けて傾斜する傾斜部２５ｅが形成されている。
【００２４】
尚、図４，図６，図７において、１３ｅは容器本体１３に設けられた取手である。
（ロック解除手段）
更に、突部２５ｃには図６，図７，図８（ａ）に示したように上下に延びる板状の操作部材２８が連結軸２９を介して回動可能に取り付けられている。この操作部材２８は、図４，図５に示したように容器本体１３の他側部１３ｄに取り付けられた側部カバー３０により上下動可能に保持されている。しかも、操作部材２８の上端にはロック解除ボタン３１が一体に設けられている。このロック解除ボタン３１は、側部カバー３０の上端に設けた貫通孔３０ａから上方に突出している。
（開操作規制手段）
また、容器本体１３の他側部１３ｄには、図８（ａ），図９〜図１１に示したようにクランプ爪２５に隣接してロック解除ボタン３１の開操作を規制する開操作規制手段３２が設けられている。
【００２５】
この開操作規制手段３２は、図８（ａ）に示したように、容器本体１３の他側部１３ｄに一体に設けられ且つ上下方向に延設されたケース部３３と、ケース部３３内に上下方向に所定範囲内でスライド可能（移動可能）に保持された移動規制部材（スライド部材）３４と、移動規制部材３４を下方にバネ付勢しているコイルスプリング（付勢手段）３５を有する。
【００２６】
この移動規制部材３４は、集塵容器１２が容器収納凹部５内に配設されていない状態では、図８（ａ），図９に示したようにコイルスプリング３５のバネ力でケース部３３内の下端に位置させられ、クランプ爪２５の傾斜部２５ｅに臨む状態となる。この状態において、底蓋１４が容器本体１３の集塵室１３ａの下方への開口端を閉成していれば、上述した爪部２５ｂが爪部２４ａへ係合して、クランプ爪２５が底蓋１４を係止している蓋ロック状態なる。
【００２７】
しかも、このような蓋係止位置において、集塵容器１２が容器収納凹部５内に配設されていない状態では、図８（ａ），図８（ｂ）に示したように移動規制部材３４がケース部３３の上下に延びるスリット３３ａを介してクランプ爪２５の傾斜部２５ｅに臨んで、クランプ爪２５が図８（ａ）において支持軸２５ａを中心に時計回り方向に回動できる状態となっている。即ち、この状態では、移動規制部材３４が爪部２５ｂの爪部２４ａへの係止状態が解除される非係止位置までクランプ爪２５を移動可能とする移動規制解除位置に位置している。
【００２８】
また、ケース部３３の底部３３ｂには図８（ｃ）に示したように挿通穴３３ｃが形成されている。しかも、図１１に示したように、容器収納凹部５の底部５ａには、移動規制部材３４を移動規制位置に移動させる移動手段としての軸状の係合突起３６が上方に向けて一体に設けられている。
【００２９】
即ち、この係合突起３６は、集塵容器１２を容器収納凹部５内に収納したときに、挿通穴３３ｃに挿通されて、移動規制部材３４をコイルスプリング３５のバネ力に抗して上方に相対的に移動させ、移動規制部材３４をクランプ爪２５の係止突部２５ｄに臨ませるようになっている。
【００３０】
この位置では、ロック解除ボタン３１を押し下げても、クランプ爪２５が支持軸２５ａを中心に時計回り方向に僅かに回動したときに、このクランプ爪２５の係止突部２５ｄが図１１に示したように移動規制部材３４に当たって、爪部２５ｂの爪部２４ａへの係止状態が解除されない状態となる。
【００３１】
しかも、移動規制部材３４には係止段部３４ａが形成されている。この係止段部３４ａは、ロック解除ボタン３１が押し下げられてクランプ爪２５の係止突部２５ｄが移動規制部材３４に当ったときに、係止突部２５ｄの上方に位置して移動規制部材３４がコイルスプリング３５のバネ力で下方に移動するのを規制するようになっている。
[作用]
次に、このような構成の電気掃除機の作用を説明する。
このような構成において清掃開始前には、上蓋６の前端部の図示しないクランプ手段による下ケース２ａの前端部へのクランプを解除して、上蓋６を上方に開き、容器収納凹部５を露出させ、この容器収納凹部５内に集塵容器１２の下部を配設する。
【００３２】
この際、図１１に示したように、容器収納凹部５の底部５ａに設けた係合突起３６を集塵容器１２の挿通穴３３ｃに挿通させる。これにより、係合突起３６は、移動規制部材３４をコイルスプリング３５のバネ力に抗して上方に相対的に移動させ、移動規制部材３４をクランプ爪２５の係止突部２５ｄに臨ませる。
【００３３】
この後、上蓋６を閉じて、上蓋６の前端部を下ケース２ａの前端部へクランプ手段により保持させることにより、集塵容器１２の上部を上蓋６で覆うと共に上蓋６で押さえる。これにより、上蓋６の前端部に設けたホース接続口７が集塵容器１２の筒部１５の吸込口１５ｂに気密に合わせられて、ホース接続口７と筒部１５が連通する。
【００３４】
この状態で、手元操作パイプ９の操作パネル９ａを操作することにより電動送風機４を駆動させて、電動送風機４の吸込負圧を細塵フィルタ１９を介して集塵容器１２の負圧室１６に作用させる。
【００３５】
この負圧室１６に作用する吸込負圧は、ネットフィルタＦ１，Ｆ２、集塵ホース８，手元操作パイプ９及び延長パイプ１０を介して吸込口体１１に作用する。これにより、吸込口体１１の図示しない吸込開口から塵埃を含む空気が吸い込まれる。
【００３６】
この吸い込まれた塵埃及び空気は、延長パイプ１０，手元操作パイプ９及び集塵ホース８を介して集塵容器１２の吸込口１５ｂから筒部１５内に流入する。この流入する空気は、周囲の一部がネットフィルタＦ１を介して負圧室１６内に流入し、大半が塵埃と共に集塵室１３ａ内に流入した後にネットフィルタＦ２を介して負圧室１６内に流入する。この際、空気に含まれる塵埃の大半は、ネットフィルタＦ１，Ｆ２で捕捉されて、最終的には集塵室１３ａに捕集される。
【００３７】
一方、ネットフィルタＦ１，Ｆ２を空気と共に通過した細塵は細塵フィルタ１９に捕捉され、細塵が除去された空気は電動送風機４内に吸い込まれて内部を冷却した後に図示しない排気孔から大気に排気される。
【００３８】
このようにして捕集された塵埃を捨てる場合には、先ず上蓋６の前端部の図示しないクランプ手段による下ケース２ａの前端部へのクランプを解除して、上蓋６を上方に開き、容器本体１３の取手１３ｅを掴んで集塵容器１２を容器収納凹部５から取り出す。この集塵容器１２を容器収納凹部５から取り出した状態では、移動規制部材３４がケース部３３の上下に延びるスリット３３ａを介してクランプ爪２５の傾斜部２５ｅに図８（ａ）に示したように臨んで、クランプ爪２５が図８（ａ）において支持軸２５ａを中心に時計回り方向に回動できる状態となっている。
【００３９】
この状態で、集塵容器１２を所定のゴミ箱等の上まで移動させて、ロック解除ボタン３１を押すと、クランプ爪２５が図８（ａ）において支持軸２５ａを中心に時計回り方向に回動して、クランプ爪２５の爪部２５ｂが底蓋１４に設けた爪部２４ａから外れて、爪部２５ｂの爪部２４ａへの係止（ロック）が解除される。これにより、底蓋１４がヒンジ２０の軸線Ｊを中心に下方に開いて、集塵容器１２の集塵室１３ａに捕集された塵埃が落下し、塵埃をゴミ箱等に捨てることができる。
【００４０】
また、上述したように集塵容器１２が容器収納凹部５内に収納されている状態では、係合突起３６により移動規制部材３４がクランプ爪２５の係止突部２５ｄに臨ませられている。従って、集塵容器１２を容器収納凹部５から抜き取る際に、ロック解除ボタン３１を誤って押しても、クランプ爪２５が支持軸２５ａを中心に時計回り方向に僅かに回動したときに、このクランプ爪２５の係止突部２５ｄが移動規制部材３４に当たって、爪部２５ｂの爪部２４ａへの係止状態が解除されない状態となる。
【００４１】
しかも、ロック解除ボタン３１が押し下げられてクランプ爪２５の係止突部２５ｄが移動規制部材３４に当ったときに、爪部２５ｂの爪部２４ａへの係止状態が解除されておらず、移動規制部材３４の係止段部３４ａがクランプ爪２５の係止突部２５ｄの上方に位置して、移動規制部材３４がコイルスプリング３５のバネ力で下方に移動するのを規制するようになっている。
【００４２】
従って、この状態でロック解除ボタン３１を押しながら集塵容器１２を容器収納凹部５から抜き取っても、底蓋１４が開くようなことはない。また、この状態でロック解除ボタン３１から押圧力（ロック解除の操作力）を解除しても、底蓋１４が開くことはない。これらの結果、集塵容器１２を容器収納凹部５から取り出す際に、容器収納凹部５内や床面が塵埃等で汚れるようなことを未然に防止できる。
【００４３】
以上説明したように、この発明の実施の形態の電気掃除機には、電動送風機４及び上方に開放する容器収納部（容器収納凹部５）が設けられた掃除機本体１と、前記容器収納部（容器収納凹部５）に着脱自在に集塵容器１２が設けられている。また、前記集塵容器１２は、内部に集塵室１３ａを備えその集塵室１３ａの下方が開口する容器（容器本体１３）と、上下に回動して前記集塵室１３ａの下方への開口を開閉可能に前記容器（容器本体１３）に取り付けられた底蓋１４と、前記底蓋１４を前記容器（容器本体１３）に係止するロック手段（蓋ロック手段２３）と、前記ロック手段（蓋ロック手段２３）の開操作をするロック解除ボタン３１を備えている。しかも、前記集塵容器１２が前記容器収納部（容器収納凹部５）に配設されている状態のとき及び前記集塵容器１２が前記容器収納部（容器収納凹部５）から上方に抜き取り可能な状態のとき、前記ロック解除ボタン３１の開操作を規制する開操作規制手段３２が設けられている。
【００４４】
この構成によれば、集塵容器１２を掃除機本体１の容器収納部（容器収納凹部５）に配設した状態では、誤ってロック解除用ボタン３１を押しても底蓋１４が開くことがないので、集塵容器１２を容器収納部（容器収納凹部５）から取り出す際に、容器収納部（容器収納凹部５）内や床面を塵埃で汚すようなことを未然に防止できる。
【００４５】
また、この発明の実施の形態の電気掃除機の前記ロック手段（蓋ロック手段２３）は、前記底蓋１４に設けられた蓋側係止部（係止爪片２４）、及び前記蓋側係止部（係止爪片２４）に係止可能な係止位置（図９）と前記蓋側係止部（係止爪片２４）への係止を解除可能な非係止位置（図１０）との間で移動可能に前記容器（容器本体１３）に設けられたクランプ体（クランプ爪２５）を備えている。しかも、前記開操作規制手段３２は前記係止位置において前記クランプ体（クランプ爪２５）の移動を規制する移動規制位置（図１１の上部）と前記クランプ体（クランプ爪２５）を前記非係止位置まで移動可能とする移動規制解除位置（図１０の下部）との間で移動可能な移動規制部材３４を備えている。また、前記容器収納部（容器収納凹部５）には前記集塵容器１２を前記容器収納部（容器収納凹部５）に収納したときに前記移動規制部材３４を前記移動規制位置（図１１の上部）に移動させる移動手段（係合突起３６）が設けられている。
【００４６】
この構成によれば、集塵容器１２が容器収納部（容器収納凹部５）内に配設されている状態では、クランプ体（クランプ爪２５）に蓋側係止部（係止爪片２４）が係止されていると共に、クランプ体（クランプ爪２５）が移動規制部材３４によって移動規制位置（図１１の上部）に位置しているので、ロック解除ボタン３１を押しても、底蓋１４が開くことはない。従って、集塵容器１２が容器収納部（容器収納凹部５）内に配設されている状態では、ロック解除ボタン３１を押しても、容器収納部（容器収納凹部５）内や床面を塵埃で汚すようなことを防止できる。
【００４７】
さらに、この発明の実施の形態の電気掃除機の前記移動規制部材３４は付勢手段（コイルスプリング３５）により前記移動規制位置（図１１の上部）から移動規制解除位置（下方）に向けて付勢されている。しかも、前記クランプ体（クランプ爪２５）には、前記移動規制部材３４が前記移動規制位置（図１１）にある状態で前記ロック解除ボタン３１によるロック解除操作をしたときに、この際のロック解除の操作力で前記移動規制部材３４に係合して、前記移動規制部材３４が前記移動規制位置（図１１）から移動規制解除位置（図１０）に移動するのを規制する係止突部２５ｄが設けられている。
【００４８】
この構成によれば、集塵容器１２が容器収納部（容器収納凹部５）内に配設されていて、前記移動規制部材３４が前記移動規制位置（図１１）にある状態では、ロック解除ボタン３１によるロック解除操作がされても、この際のロック解除の操作力でクランプ体（クランプ爪２５）の係止突部２５ｄが前記移動規制部材３４に係合して、前記移動規制部材３４が前記移動規制位置（図１１）から移動規制解除位置（図１０）に移動するのを確実に規制する。
【００４９】
従って、集塵容器１２が容器収納部（容器収納凹部５）内に配設されている状態で、ロック解除ボタン３１によるロック解除操作がされた後、ロック解除ボタン３１のロック解除操作をしている状態で集塵容器１２を容器収納部（容器収納凹部５）から抜き取っても、底蓋１４が開くのを確実に防止して、容器収納部（容器収納凹部５）内や床面が塵埃等で汚れるのを未然に防止できる。
【図面の簡単な説明】
【００５０】
【図１】この発明に係る電気掃除機の概略斜視図である。
【図２】図１の掃除機本体の一部を破断して示した側面図である。
【図３】図２の集塵容器の拡大断面図である。
【図４】図２の集塵容器を斜め前から見た斜視図である。
【図５】図４の集塵容器の平面図である。
【図６】図５の側部カバーを取り外して一部を破断して示した集塵容器の斜視図である。
【図７】図５の側部カバーを取り外して示した集塵容器の斜視図である。
【図８】（ａ）図５の側部カバーを取り外して一部を破断して示した集塵容器の側面図、（ｂ）は（ａ）のＡ１−Ａ１線に沿う断面図、（ｃ）は（ａ）のＡ２−Ａ２線に沿う断面図である。
【図９】図８（ａ）のクランプ爪と移動規制部材との関係を示す要部拡大説明図である。
【図１０】図９のクランプ爪及び移動規制部材の作用説明図である。
【図１１】図９のクランプ爪及び移動規制部材の作用説明図である。
【符号の説明】
【００５１】
１…掃除機本体
４…電動送風機
５…容器収納凹部(容器収納部）
１２…集塵容器
１３…容器本体
１３ａ…集塵室
１４…底蓋
２３…蓋ロック手段（ロック手段）
２４…係止爪片（蓋側係止部）
２５…クランプ爪（クランプ体）
２５ｄ…係止突部
３１…ロック解除ボタン
３２…開操作規制手段
３５…コイルスプリング（付勢手段）
【図１】
2006212334.tif 000003
【図２】
2006212334.tif 000004
【図３】
2006212334.tif 000005
【図４】
2006212334.tif 000006
【図５】
2006212334.tif 000007
【図６】
2006212334.tif 000008
【図７】
2006212334.tif 000009
【図８】
2006212334.tif 000010
【図９】
2006212334.tif 000011
【図１０】
2006212334.tif 000012
【図１１】
2006212334.tif 000013